(57)【要約】【課題】深いあるいは狭い溝にプライマーをより確実に塗布することができるようにする。【解決手段】２枚のパネル１の連接部に凹状に形成された溝２と、該溝２の底面２ａ側に打設された不定形シーリング材３と、溝２の表面側に装填された定形材４と、を含み、溝２における不定形シーリング材３が接触する面には、２枚のパネル１の連接前に形成された塗膜層５と、連接後に形成されたプライマー層９と、を有する。塗膜層５とプライマー層９との間には、色の濃淡差を有することが好ましい。【選択図】図５
2012046881.tif 000002
【特許請求の範囲】
【請求項１】
２枚のパネルの連接部に凹状に形成された溝と、
該溝の底面側に打設された不定形シーリング材と、
前記溝の表面側に装填された定形材と、を含み、
前記溝における前記不定形シーリング材が接触する面に、２枚のパネルの連接前に形成された塗膜層と、連接後に形成されたプライマー層と、を有することを特徴とするパネルの目地構造。
【請求項２】
前記定形材は、前記不定形シーリング材を別途加工することなく除去可能で、前記定形材除去後における前記溝には、前記不定形シーリング材が打設されている部分の溝幅の２分の１以上の深さを有する空間が形成されることを特徴とする請求項１に記載のパネルの目地構造。
【請求項３】
前記溝が、該溝の両壁に形成されて該溝を途中から幅狭にする段部と、当該溝における前記段部よりも表面寄りの部分である第１溝部と、当該溝における前記段部よりも深い部分であって前記第１溝部よりも幅狭の第２溝部と、を有するものであり、前記不定形シーリング材が前記第２溝に打設され、前記定形材が前記第１溝に装填されていることを特徴とする請求項１に記載のパネルの目地構造。
【請求項４】
前記塗膜層と前記プライマー層との間には、色の濃淡差を有することを特徴とする請求項１から３のいずれか一項に記載のパネルの目地構造。
【請求項５】
前記パネルが、多孔質素材からなることを特徴とする請求項１から４のいずれか一項に記載のパネルの目地構造。
【発明の詳細な説明】
【技術分野】
【０００１】
本発明は、パネルの目地構造に関する。さらに詳述すると、本発明は、建物の外壁等におけるパネルの目地構造の改良に関する。
【背景技術】
【０００２】
従来より、建物の外壁パネル間の目地部を水密構造とするため、当該目地部に形成された溝に不定形シーリング材を打設したり、定形シーリング材又はガスケットと呼ばれる定形材を装填したりすることが行われている。また、不定形シーリング材３を打設する前には必要に応じて不定形シーリング材の密着性を向上させる為の液状のプライマーが塗布される。
【０００３】
外壁パネルがＡＬＣ（Autoclaved Light-weight Concrete；軽量気泡コンクリート）からなる場合には、目地部には不定形シーリング材が打設され、更にその表面に防水層としての塗膜層が形成されるのが一般的である。また、この場合、対塗料性能、すなわち塗膜層の汚染（不定形シーリング材に含まれる可塑剤の塗膜層への移行による汚染）の防止性能や塗膜層との密着性能の向上を図るため、シーリング材が本来発揮すべき防水性能（柔軟性や母材との密着性など）やコストをある程度犠牲にしてまでも不定形シーリング材に添加剤などを含有させるといったことが行われている。（例えば、特願2004-331594や2004-322440）
【０００４】
さらに、特許文献１に記載のように、不定形シーリング材と定形材とを重ね合わせ、不定形シーリング材が耐用年数に達した際には定形材のみを除去し、定形材の除去により生まれた空間に新たに不定形シーリング材を充填することで目地部の水密性能を維持することができるようにした目地構造も提案されている。このように構成された目地構造においては、施工後、最初の耐用年数に達するまでの間、不定形シーリング材が定形材によってカバーされた状態となり、不定形シーリング材が塗膜層と直接接触することがないので、不定形シーリング材が担うべき機能を、本来発揮すべき防水性能の長期的な維持機能に絞り込むことができ（すなわち、対塗料性能を向上させるための添加剤などを不定形シーリング材に含有させる必要がなく）、不定形シーリング材の打設量を少なくすることが可能となり、不定形シーリング材の使用量の削減によるコストダウンや、シーリング材を充填する溝の幅を狭くして意匠性の向上を図ることが可能となる。
【先行技術文献】
【特許文献】
【０００５】
【特許文献１】特開２００６−２８３５０９号公報
【発明の概要】
【発明が解決しようとする課題】
【０００６】
しかしながら、上述のように不定形シーリング材と定形材とを重ねて溝に収容する目地構造とすれば、溝の幅に対して深さが大きくなることから、プライマーの塗布作業や、塗布状態の確認作業が行い難くなる。更に、意匠上の要請により目地幅を狭くすれば、これらの作業がより困難なものになってしまう。
【０００７】
そこで、本発明は、深いあるいは狭い溝にプライマーをより確実に塗布することができるパネルの目地構造を提供することを目的とする。
【課題を解決するための手段】
【０００８】
かかる課題を解決するべく本発明者は目地における構造について検討した。外壁パネルとして多用されているＡＬＣは一般的に細かな孔を有する多孔質材である。従って、その素地状態の溝に、例えば刷毛を用いてプライマーを塗布した場合、液状のプライマーは外壁パネル内部に吸収されやすく、刷毛に含ませたプライマーが短時間のうちに消費される。また、溝の表面に凹凸もあるので、塗りムラも生じやすい。プライマー層を確実に形成するためには、プライマーを度々刷毛に含ませながら、同じ部位で繰り返し塗布作業を行なわなければならず、作業に手間を要しているのが現状である。このことは、溝幅がより深く、より狭くなればより顕著になることは明らかである。こうした点についてさらに検討した本発明者は、課題の解決に結び付く新たな知見を得るに至った。
【０００９】
本発明にかかるパネルの目地構造はこのような知見に基づくもので、２枚のパネルの連接部に凹状に形成された溝と、該溝の底面側に打設された不定形シーリング材と、前記溝の表面側に装填された定形材と、を含み、前記溝における前記不定形シーリング材が接触する面には、前記２枚のパネルの連接前に形成された塗膜層と、連接後に形成されたプライマー層と、を有することを特徴とする。
【００１０】
本発明にかかる目地構造では、溝における不定形シーリング材が接触する面に、２枚のパネルの連接前に形成された塗膜層と、連接後に形成されたプライマー層とを有するので、塗膜層の上に形成されたプライマー層により不定形シーリング材と定形材の両方を収容する深い溝において、予め塗膜層を形成することによって、プライマーが吸収されることを阻止してプライマーの刷毛伸びを向上させることができ、また、溝の表面の凹凸を滑らかにしてプライマーの塗りムラを発生しにくくすることができる。このため、例えば目地幅に対する溝深さが深い目地構造に対しても、特殊な冶具や装置を用いることなくプライマー層を確実に形成することができる。
【００１１】
上述のごとき目地構造において、定形材は、不定形シーリング材の耐用年数経過前あるいは経過後、当該不定形シーリング材を別途加工することなく除去可能で、定形材除去後における溝には、不定形シーリング材が打設されている部分の溝幅の２分の１以上の深さを有する空間が形成されていることも好ましい。
【００１２】
また、溝が、該溝の両壁に形成されて該溝を途中から幅狭にする段部と、当該溝における段部よりも表面寄りの部分である第１溝部と、当該溝における段部よりも深い部分であって第１溝部よりも幅狭の第２溝部と、を有するものであり、不定形シーリング材が第２溝に打設され、定形材が第１溝に装填されていることも好ましい。
【００１３】
また、上述の目地構造において、塗膜層とプライマー層との間には、色の濃淡差を有することも好ましい。色の濃淡差を有することで、プライマーの塗布状態の確認作業が容易となる。
【００１４】
さらに、本発明にかかる目地構造は、外壁パネルが多孔質素材からなる場合に好ましく適用することができる。
【発明の効果】
【００１５】
本発明によれば、深いあるいは狭い溝にプライマーをより確実に塗布することができる。
【図面の簡単な説明】
【００１６】
【図１】隣接する外壁パネルの連接部（目地）に形成された目地構造の一例を示す図である。
【図２】外壁パネルの表面のうち少なくとも不定形シーリング材が接触する面に塗膜層が形成された目地構造を示す図である。
【図３】外壁パネルの面のうち少なくとも不定形シーリング材が接触する面にプライマー層が形成された目地構造を示す図である。
【図４】溝に不定形シーリング材が打設された目地構造を示す図である。
【図５】溝に定形材が装填された目地構造を示す図である。
【図６】溝が比較的複雑な形状とされた目地構造の他の例を示す図である。
【発明を実施するための形態】
【００１７】
以下、本発明の好適な実施形態の一例を図面に基づいて説明する。
【００１８】
図１〜図４に、本発明にかかるパネルの目地構造およびその工法を建物の外壁を構成する外壁パネルに適用した場合の一例を示す。本実施形態における外壁パネル１の目地構造は、外壁パネル１，１の連接部に凹状に形成された溝２の底面２ａ側に不定形シーリング材３を打設し、該不定形シーリング材３の表面が未硬化のうちに溝２に定形材４を装填してなる水密の構造である。
【００１９】
外壁パネル１は、例えば一般的に流通しているＡＬＣ（Autoclaved Light-weight Concrete；軽量気泡コンクリート）からなる板状部材であり、例えば鉄骨造建物の外周部に取り付けられて外壁を構成する。なお、外壁パネル１の他の具体例としては、ＰＣａ板、ＧＲＣ、押出し成形セメント板、窯業系サイディング、金属サイディング、塗装鋼板、金属パネル、ガラス、石材等が挙げられる。
【００２０】
外壁パネル１の表面側の端縁部は切り欠かれており、２枚の外壁パネル１を連接することによって、その連接部に凹状の溝２が形成されている（図１等参照）。なお、特に図示していないが、この溝２は深くなるにつれ幅狭となるように、溝２の側面が傾斜したものや階段状に段差が設けられたものであってもよい。
【００２１】
不定形シーリング材３は、溝２に打設されて外壁パネル１間の連接部（目地）を水密構造とするものである（図４等参照）。不定形シーリング材３としては、外壁パネルの材質等に応じて一般的に流通している湿式シーリング材を適宜選択して用いることができ、特にＡＬＣからなる外壁パネルに対しては、柔軟性に富み、地震等の外力により変形した際に母材の破壊を生じさせにくい変成シリコーン系、アクリルウレタン系、ポリウレタン系等のシーリング材が好ましい。また、具体例として、ＪＩＳ Ａ ５７５８：１９９７に規定されるシリコーン系、変性シリコーン系、ポリサルファイド系、アクリルウレタン系、ポリウレタン系、変性ポリサルファイド系、アクリル系、ＳＢＲ系、ブチルゴム系、ポリイソブチレン系のものなどが挙げられる。ペースト状の不定形シーリング材３は、例えばシーリングガンを用いて溝２に打設され、その後、へらを用いてその表面３ａを加圧することで溝２の底面２ａ側に密実に充填されると同時に表面３ａが平滑に仕上げられる。
【００２２】
定形材４は、不定形シーリング材３が耐用年数に達した際に、溝２に新たな不定形シーリング材を打設する為の打設しろを予め確保しておく為のものであり、溝２の幅寸法に対応した幅寸法を有し、上述の不定形シーリング材３に重ね合わされるように溝２に装填される。
【００２３】
定形材４は、上述した不定形シーリング材３の表面３ａが硬化するまでの間に溝２に装填され、当該不定形シーリング材３の表面３ａの接着力によって保持される（図５参照）。より具体的には、不定形シーリング材３が未硬化で表面３ａに粘着性がある状態で、当該不定形シーリング材３の表面３ａと定形材４とが密着するように定形材４を溝２へ装填され、不定形シーリング材３が未硬化の状態では該不定形シーリング材３の粘着性による接着力によって保持され、また不定形シーリング材３が硬化するにつれて化学的な接着力によって保持される。このように不定形シーリング材３が有する接着力を利用して定形材４を保持することとすれば、接着材などを別途使用する必要がない。なお、定形材４は、一般的に建築用ガスケット材として流通しているプラスチック系や合成ゴム系の材料で形成することができるが、このように不定形シーリング材３の接着力によって保持されることからすれば、当該不定形シーリング材３との接着性能が良好な塩化ビニルやＴＰＵ（熱可塑性ポリウレタン）や天然ゴムなどであることが好ましい。
【００２４】
このような不定形シーリング材３と定形材４の組み合わせによる目地構造において、建物の新築当初から所定年数（不定形シーリング材３の耐用年数）が経過して改修が必要となった際に、一般的には、不定形シーリング材３を除去したうえで新たな不定形シーリング材を打設するものであるところを、不定形シーリング材３を除去することなく定形材４のみを除去し、このとき溝２に形成される空隙に新規な不定形シーリング材を打設することを可能としている。この点を考慮すると、定形材４の厚さは改修後に求められる性能（耐用年数）に応じたものとしておくことが好ましい。例えば、新築当初に溝２に打設された不定形シーリング材３と同等の性能を有する新規な不定形シーリング材を改修時に当該空隙に打設し、次回の改修までの期間を新築から最初の改修までの期間と同等とすることを意図する場合には、定形材４の厚さを、不定形シーリング材３の厚さとほぼ等しい厚さに確保しておくことが好ましい。また、改修時、当初打設された不定形シーリング材３よりも高性能な不定形シーリング材を用いることが想定される場合は、その性能の度合いに応じて定形材４の厚さを小さくすることもできる。
【００２５】
塗膜層５は、外壁パネル１の表面から溝２の底面２ａにかけて塗布された塗料によって形成されている。塗料は、例えば合成樹脂エマルジョンあるいは溶液形合成樹脂などであり、塗装範囲は、少なくとも当該外壁パネル１の表面から溝２の底面２ａ（を構成する切り欠き面）に至るまでの範囲である。本実施形態では、建物の躯体に取り付けられる前の段階、例えば外壁パネル１の製造工場等において、外壁パネル１の表面に塗料を予め塗布して塗膜層５を形成しているが、外壁パネル１を建物の躯体に取り付けた後に塗料を塗布して塗膜層５を形成することもできる（図２等参照）。
【００２６】
溝２の不定形シーリング材３が接触する面には、塗膜層５を下地としてプライマーが塗布されて、プライマー層９が形成されている。プライマー層９は、外壁パネル１に対する不定形シーリング材３の付着性を向上させる為に形成されるものである。使用されるプライマーは、外壁パネル１や不定形シーリング材３の材質に応じて、不定形シーリングメーカーが推奨するものを使用することが一般的である。
【００２７】
塗膜層５は、液体を吸収しやすい外壁パネル１の表面における防水層として機能するものであるが、溝２にも塗膜層５を形成することによって、プライマーが吸収されることを阻止してプライマーの刷毛伸びが向上させることができ、また、溝２の表面の凹凸を滑らかにしてプライマーの塗りムラを発生しにくくすることができる。
【００２８】
なお、溝２のように窪んだ部分においてプライマー層９が確実に形成されているかどうか確認する作業を容易に行いうるようにする為に、プライマー層９と塗膜層５との間には色の濃淡差を有することが好ましい。例えば、塗膜層５が淡色系（例えば白色系や灰色系など）の場合、濃色系（例えば濃い青色系や緑色系など）に着色されたプライマーを用いることによって、溝部２へのプライマー層９の形成状態を目視により容易に確認することができる。
【００２９】
続いて、外壁パネル１の目地構造の施工手順について以下に説明する（図１等参照）。
【００３０】
まず、予め工場において表面及び溝２の底面２ａに塗装を施して塗膜層５が形成された外壁パネル１を、建物の外周部に連接するように取り付ける。このとき、隣接する外壁パネル１の間の連接部（目地）に溝２が形成される（図１参照）。
【００３１】
次に、溝２の不定形シーリング材３が接触する面にプライマーを塗布する。このとき、溝２には塗膜層５が形成されているので、プライマーが吸収されることを阻止してプライマーの刷毛伸びが向上させることができ、また、溝２の表面の凹凸を滑らかにしてプライマーの塗りムラを発生しにくくすることができる。
【００３２】
また、例えば、塗膜層５が淡色系（例えば白色系や灰色系など）の場合、濃色系（例えば濃い青色系や緑色系など）に着色されたプライマーを用いることによって、溝部２へのプライマー層９の形成状態を目視により容易に確認することができる。
【００３３】
次に、溝２にシーリングガンを用いて不定形シーリング材３を打設し（図４参照）、その後、へらを用いて加圧することで、当該不定形シーリング材３を溝２に密実に打設しながらその表面３ａを平滑に仕上げる。この際、溝２の表面側には定形材４の装填しろを確保しておく。
【００３４】
次に、この不定形シーリング材３の表面３ａが硬化する前に、定形材４を溝２に装填し、該不定形シーリング材３の表面３ａの接着力によって保持させる（図５参照）。具体的には、作業者らが定形材４を溝２に押し込むといった動作により、定形材４を不定形シーリング材３の表面３ａに密着させてその粘着力によって接着させることができる。
【００３５】
その後、外壁パネル１と定形材４の表面に同時に上塗り塗料を吹き付けて上塗り塗膜層６を形成する（図５参照）。
【００３６】
ここまで説明したように、本実施形態における外壁パネル１の目地構造によれば、深いあるいは狭い溝２に対してプライマーを確実に塗布してプライマー層９を形成することができる。このような構造は、意匠上の要請により溝の幅をより狭くした目地構造に好ましく適用できる。
【００３７】
また、プライマー層９と塗膜層５との間に色の濃淡差を有するように着色されたプライマーを塗布することによって、溝部２へのプライマー層９の形成状態を目視により容易に確認することができる。
【００３８】
本実施形態のごとき目地構造は、特に溝２が深い（または狭い）場合に好適である。例示すれば、溝２から定形材４を除去した場合の当該溝２に、不定形シーリング材３が打設されている部分の溝幅の２分の１以上の深さを有する空間が形成されている程度に溝２が深い（または狭い）ような場合に好適である。このような目地構造によれば、例えば不定形シーリング材３の耐用年数経過後に定形材４のみを除去し、当該空間に別の不定形シーリング材を充填する場合に、当該空間の壁面にプライマーを塗布しやすい状況を形成することが可能である。
【００３９】
なお、上述の実施形態は本発明の好適な実施の一例ではあるがこれに限定されるものではなく本発明の要旨を逸脱しない範囲において種々変形実施可能である。
【００４０】
例えば、本実施形態にて例示した溝２は比較的単純な断面形状を有するものであったが（図１等参照）、本発明はこれよりも複雑な形状、例えば、当該溝２の両壁に該溝２を途中から幅狭にする段部７が設けられ、段部７よりも外壁パネル１の表面寄りの部分である第１溝部２１と、段部７よりも深い部分であって第１溝部２１よりも幅狭の第２溝部２２とが形成され、不定形シーリング材３が第２溝２２に打設され、定形材４が第１溝２１に装填されるような比較的複雑な形状の目地構造、一例を挙げれば、外壁パネル１の外壁表面から第２溝部２２の底面までの深さが当該第２溝部２２の底面幅の１．５倍以上であるような深い（あるいは比較的狭い）目地構造の場合に好ましく適用することができる（図６参照）。このように第２溝２２が狭いためプライマーが塗布しにくい場合にも、本発明を適用することによって、プライマーが吸収されることを阻止してプライマーの刷毛伸びが向上させることができ、また、溝２の表面の凹凸を滑らかにしてプライマーの塗りムラを発生しにくくすることができる。
【符号の説明】
【００４１】
１…外壁パネル（パネル）、２…溝、２ａ…溝の底面、３…不定形シーリング材、３ａ…不定形シーリング材の表面、４…定形材、５…塗膜層、７…段部、９…プライマー層、２１…第１溝部、２２…第２溝部
【図１】
2012046881.tif 000003
【図２】
2012046881.tif 000004
【図３】
2012046881.tif 000005
【図４】
2012046881.tif 000006
【図５】
2012046881.tif 000007
【図６】
2012046881.tif 000008